(57)【要約】【課題】手間や労力の面で有利に、プレゼンテーションを行うのに好適な投影装置を提供する。【解決手段】リモコン端末２００は、取得要求、ＵＲＬおよび認証情報をプロジェクタ１００に送信し、その後投影要求をプロジェクタ１００に送信する。プロジェクタ１００は、取得要求に応じて、受信したＵＲＬにより特定されるＷＷＷサーバＤＳから投影データを取得し、投影要求に応じて、取得した投影データに基づいた画像を投影することとなる画像信号を投影器４４に出力する。これにより、プレゼンテーションを行う場合に、各発表者のプレゼンテーション資料を一つのノート型コンピュータ等にまとめなくても、各発表者は、プレゼンテーション資料をあらかじめＷＷＷサーバＤＳに格納しておけば、ＷＷＷサーバＤＳのＵＲＬを入力するだけで、プレゼンテーションを行うことができる。【選択図】図３
2007241299.tif 000002
【特許請求の範囲】
【請求項１】
スクリーンに画像を投影する投影手段を備える投影装置において、
投影対象となる投影データを蓄積するデータ蓄積端末と通信可能に接続したときにその
データ蓄積端末から前記投影データを取得する取得手段と、前記取得手段で取得した投影
データに基づいて前記投影手段による投影を行う投影制御手段とを備えることを特徴とす
る投影装置。
【請求項２】
請求項１において、
前記データ蓄積端末を特定するためのアドレスを入力する入力手段を備え、
前記取得手段は、前記入力手段で入力したアドレスにより特定されるデータ蓄積端末か
ら前記投影データを取得するようになっていることを特徴とする投影装置。
【請求項３】
請求項１及び２のいずれかにおいて、
前記取得手段は、外部端末と通信可能に接続したときに、その外部端末からの取得要求
に応じて前記データ蓄積端末から前記投影データを取得するようになっていることを特徴
とする投影装置。
【請求項４】
請求項３において、
前記外部端末からの取得要求には、前記データ蓄積端末を特定するためのアドレスが含
まれており、
前記取得手段は、前記外部端末からの取得要求に含まれるアドレスにより特定されるデ
ータ蓄積端末から前記投影データを取得するようになっていることを特徴とする投影装置
。
【請求項５】
請求項３及び４のいずれかにおいて、
前記取得手段は、前記外部端末からの取得要求を受けてその外部端末から認証情報を取
得する認証情報取得手段と、前記認証情報取得手段で取得した認証情報を前記データ蓄積
端末に送信する認証情報送信手段と、前記データ蓄積端末で認証されたことを確認したと
きは前記データ蓄積端末から前記投影データを取得する投影データ取得手段とを有するこ
とを特徴とする投影装置。
【請求項６】
請求項１乃至５のいずれかにおいて、
前記投影制御手段は、外部端末と通信可能に接続したときに、その外部端末からの投影
要求に応じて前記投影手段による投影を行うようになっていることを特徴とする投影装置
。
【請求項７】
請求項１乃至６のいずれかにおいて、
前記取得手段で取得した投影データが前記投影制御手段で投影可能な所定形式のデータ
でないときはその取得した投影データを前記所定形式のデータに変換するデータ変換手段
を備えることを特徴とする投影装置。
【請求項８】
スクリーンに画像を投影する投影手段を備える投影装置において、
投影対象となる投影データを記憶した記憶媒体が与えられたときにその記憶媒体から前
記投影データを読み出す読出手段と、前記読出手段で読み出した投影データに基づいて前
記投影手段による投影を行う投影制御手段とを備えることを特徴とする投影装置。
【請求項９】
請求項８において、
前記読出手段で読み出した投影データが前記投影制御手段で投影可能な所定形式のデー
タでないときはその読み出した投影データを前記所定形式のデータに変換するデータ変換
手段を備えることを特徴とする投影装置。
【請求項１０】
画像を表示する表示手段を備える表示装置において、
表示対象となる表示データを蓄積するデータ蓄積端末と通信可能に接続したときにその
データ蓄積端末から前記表示データを取得する取得手段と、前記取得手段で取得した表示
データに基づいて前記表示手段による表示を行う表示制御手段とを備え、
前記取得手段は、外部端末と通信可能に接続したときに、その外部端末からの取得要求
に応じて前記データ蓄積端末から前記表示データを取得するようになっていることを特徴
とする表示装置。
【請求項１１】
請求項１０において、
前記表示制御手段は、外部端末と通信可能に接続したときに、その外部端末からの表示
要求に応じて前記表示手段による表示を行うようになっていることを特徴とする表示装置
。
【請求項１２】
画像を表示する表示手段を備える表示装置と、表示対象となる表示データを蓄積するデ
ータ蓄積端末と、前記表示装置をコントロールするコントロール端末とを通信可能に接続
したシステムであって、
前記コントロール端末は、前記データ蓄積端末から前記表示データを取得すべき取得要
求を送信するようになっており、
前記表示装置は、前記コントロール端末からの取得要求に応じて前記データ蓄積端末か
ら前記表示データを取得する取得手段と、前記取得手段で取得した表示データに基づいて
前記表示手段による表示を行う表示制御手段とを備えることを特徴とする表示システム。
【請求項１３】
請求項１２において、
前記コントロール端末は、前記表示装置の制御に関する表示要求を送信するようになっ
ており、
前記表示制御手段は、前記コントロール端末からの表示要求に応じて前記表示手段によ
る表示を行うようになっていることを特徴とする表示システム。
【請求項１４】
スクリーンに画像を投影する投影手段を利用する投影プログラムを記憶した記憶媒体で
あって、
投影対象となる投影データを蓄積するデータ蓄積端末と通信可能に接続したときにその
データ蓄積端末から前記投影データを取得する取得手段と、前記取得手段で取得した投影
データに基づいて前記投影手段による投影を行う投影制御手段として、コンピュータを機
能させるためのプログラムを記憶したことを特徴とする投影プログラムを記憶した記憶媒
体。
【請求項１５】
画像を表示する表示手段を利用する表示プログラムを記憶した記憶媒体であって、
表示対象となる表示データを蓄積するデータ蓄積端末と通信可能に接続したときにその
データ蓄積端末から前記表示データを取得する取得手段と、前記取得手段で取得した表示
データに基づいて前記表示手段による表示を行う表示制御手段として、コンピュータを機
能させるためのプログラムを記憶し、
前記取得手段は、外部端末と通信可能に接続したときに、その外部端末からの取得要求
に応じて前記データ蓄積端末から前記表示データを取得するようになっていることを特徴
とする表示プログラムを記憶した記憶媒体。
【発明の詳細な説明】
【技術分野】
【０００１】
本発明は、スクリーンに画像を投影する装置、画像を表示する装置およびシステム、ス
クリーンに画像を投影するためのプログラムを記憶した記憶媒体、並びに画像を表示する
ためのプログラムを記憶した記憶媒体に係り、特に、手間や労力の面で有利に、プレゼン
テーションを行うのに好適な投影装置、表示装置、表示システム、投影プログラムを記憶
した記憶媒体、および表示プログラムを記憶した記憶媒体に関する。
【背景技術】
【０００２】
従来、スクリーンに画像を投影するプロジェクタとしては、例えば、コンピュータ等を
接続するための接続端子と、接続端子を介して入力した画像信号に基づいてスクリーンに
画像を投影する投影器とを備えるものがあった。
【０００３】
こうしたプロジェクタを用いてプレゼンテーションを行う場合は、各発表者は、プレゼ
ンテーション資料等のプロジェクタで投影するための投影データを格納したノート型コン
ピュータ等をプロジェクタに接続し、そのノート型コンピュータ等を操作することにより
プレゼンテーション資料をスクリーンに投影しながら、プレゼンテーションを行う。
【発明の開示】
【発明が解決しようとする課題】
【０００４】
しかしながら、プレゼンテーション資料は、各発表者が所持するノート型コンピュータ
等にそれぞれ格納されている場合が多いため、従来のプロジェクタにあっては、各発表者
のプレゼンテーション資料を一つのノート型コンピュータ等にまとめない限り、発表ごと
にノート型コンピュータ等をプロジェクタに接続しなければならず、接続作業に手間や時
間を要し煩雑となるばかりか、発表者にとっても、発表会場にノート型コンピュータ等を
持ち込まなければならず、持ち運びに労力を要するという問題があった。特に、比較的大
きな発表会場でプレゼンテーションを行う場合、すべての発表者のプレゼンテーション資
料を一つのコンピュータにまとめるのは、発表者同士で行うにはきわめて困難であり、主
催者側で行うには主催者側に大きな負担をかけることになる。
【０００５】
そこで、本発明は、このような従来の技術の有する未解決の課題に着目してなされたも
のであって、手間や労力の面で有利に、プレゼンテーションを行うのに好適な投影装置、
表示装置、表示システム、投影プログラムを記憶した記憶媒体、および表示プログラムを
記憶した記憶媒体を提供することを目的としている。
【課題を解決するための手段】
【０００６】
上記目的を達成するために、本発明に係る請求項１記載の投影装置は、スクリーンに画
像を投影する投影手段を備える投影装置において、投影対象となる投影データを蓄積する
データ蓄積端末と通信可能に接続したときにそのデータ蓄積端末から前記投影データを取
得する取得手段と、前記取得手段で取得した投影データに基づいて前記投影手段による投
影を行う投影制御手段とを備える。
【０００７】
このような構成であれば、取得手段により、データ蓄積端末と通信可能に接続してその
データ蓄積端末から投影データが取得され、投影制御手段により、取得された投影データ
に基づいて投影手段による投影が行われる。これにより、投影手段でスクリーンに画像が
投影される。
【０００８】
ここで、データ蓄積端末と通信可能に接続することには、例えば、特定のデータ蓄積端
末と通信可能に接続すること、複数のデータ蓄積端末のうちいずれかを選択し、選択した
データ蓄積端末に接続すること、または複数のデータ蓄積端末が相互に接続されたネット
ワークと通信可能に接続することが含まれる。以下、請求項１０記載の表示装置、請求項
１２記載の表示システム、請求項１４記載の投影プログラムを記憶した記憶媒体、および
請求項１５記載の表示プログラムを記憶した記憶媒体において同じである。
【０００９】
また、データ蓄積端末との接続は、データ蓄積端末に対して本装置が能動的に行うよう
にしてもよいし、これとは逆に本装置に対してデータ蓄積端末が能動的に行うようにして
もよいし、本装置とデータ蓄積端末とをあらかじめネットワーク等で接続することにより
行うようにしてもよい。以下、請求項１０記載の表示装置、請求項１２記載の表示システ
ム、請求項１４記載の投影プログラムを記憶した記憶媒体、および請求項１５記載の表示
プログラムを記憶した記憶媒体において同じである。
【００１０】
また、投影データは、投影対象となるデータであればどのようなデータであってもよく
、これには、例えば、投影制御手段が直接投影することができるデータ、または投影制御
手段が直接投影することができなくても所定形式のデータに変換すれば投影することがで
きるデータが含まれる。以下、請求項８記載の投影装置、および請求項１４記載の投影プ
ログラムを記憶した記憶媒体において同じである。
【００１１】
さらに、本発明に係る請求項２記載の投影装置は、請求項１記載の投影装置において、
前記データ蓄積端末を特定するためのアドレスを入力する入力手段を備え、前記取得手段
は、前記入力手段で入力したアドレスにより特定されるデータ蓄積端末から前記投影デー
タを取得するようになっている。
【００１２】
このような構成であれば、入力手段でアドレスが入力されると、取得手段により、入力
されたアドレスにより特定されるデータ蓄積端末から投影データが取得される。
【００１３】
さらに、本発明に係る請求項３記載の投影装置は、請求項１および２のいずれかに記載
の投影装置において、前記取得手段は、外部端末と通信可能に接続したときに、その外部
端末からの取得要求に応じて前記データ蓄積端末から前記投影データを取得するようにな
っている。
【００１４】
このような構成であれば、外部端末と通信可能に接続してその外部端末から取得要求を
受けると、取得手段により、その取得要求に応じてデータ蓄積端末から投影データが取得
される。
【００１５】
ここで、外部端末は、取得要求を送信するようになっていればどのような構成であって
もよく、これには、例えば、本装置をコントロールする通信機能を有するリモコン、携帯
電話等の携帯可能な携帯端末、パソコンまたは電話が含まれる。以下、請求項１０記載の
表示装置、および請求項１５記載の表示プログラムを記憶した記憶媒体において同じであ
る。
【００１６】
また、外部端末との接続は、本装置に対して外部端末が能動的に行うようにしてもよい
し、これとは逆に外部端末に対して本装置が能動的に行うようにしてもよいし、本装置と
外部端末とをあらかじめネットワーク等で接続することにより行うようにしてもよい。以
下、請求項１０記載の表示装置、および請求項１５記載の表示プログラムを記憶した記憶
媒体において同じである。
【００１７】
さらに、本発明に係る請求項４記載の投影装置は、請求項３記載の投影装置において、
前記外部端末からの取得要求には、前記データ蓄積端末を特定するためのアドレスが含ま
れており、前記取得手段は、前記外部端末からの取得要求に含まれるアドレスにより特定
されるデータ蓄積端末から前記投影データを取得するようになっている。
【００１８】
このような構成であれば、外部端末から取得要求を受けると、取得手段により、その取
得要求に含まれるアドレスにより特定されるデータ蓄積端末から投影データが取得される
。
【００１９】
さらに、本発明に係る請求項５記載の投影装置は、請求項３および４のいずれかに記載
の投影装置において、前記取得手段は、前記外部端末からの取得要求を受けてその外部端
末から認証情報を取得する認証情報取得手段と、前記認証情報取得手段で取得した認証情
報を前記データ蓄積端末に送信する認証情報送信手段と、前記データ蓄積端末で認証され
たことを確認したときは前記データ蓄積端末から前記投影データを取得する投影データ取
得手段とを有する。
【００２０】
このような構成であれば、外部端末から取得要求を受けると、認証情報取得手段により
、その外部端末から認証情報が取得され、認証情報送信手段により、取得された認証情報
がデータ蓄積端末に送信される。その結果、データ蓄積端末で認証されたことが確認され
ると、投影データ取得手段により、データ蓄積端末から投影データが取得される。
【００２１】
さらに、本発明に係る請求項６記載の投影装置は、請求項１ないし５のいずれかに記載
の投影装置において、前記投影制御手段は、外部端末と通信可能に接続したときに、その
外部端末からの投影要求に応じて前記投影手段による投影を行うようになっている。
【００２２】
このような構成であれば、外部端末と通信可能に接続してその外部端末から投影要求を
受けると、投影制御手段により、その投影要求に応じて投影手段による投影が行われる。
【００２３】
ここで、投影要求は、本装置の制御に関する要求であり、これには、例えば、投影を開
始する要求、投影を終了する要求、投影する画像が複数ある場合は、それら画像を連続投
影する要求、一つ若しくは複数先の画像を投影する要求、または一つ若しくは複数前の画
像を投影する要求が含まれる。
【００２４】
さらに、本発明に係る請求項７記載の投影装置は、請求項１ないし６のいずれかに記載
の投影装置において、前記取得手段で取得した投影データが前記投影制御手段で投影可能
な所定形式のデータでないときはその取得した投影データを前記所定形式のデータに変換
するデータ変換手段を備える。
【００２５】
このような構成であれば、取得された投影データが投影制御手段で投影可能な所定形式
のデータでないときは、データ変換手段により、取得された投影データが所定形式のデー
タに変換される。
【００２６】
さらに、本発明に係る請求項８記載の投影装置は、スクリーンに画像を投影する投影手
段を備える投影装置において、投影対象となる投影データを記憶した記憶媒体が与えられ
たときにその記憶媒体から前記投影データを読み出す読出手段と、前記読出手段で読み出
した投影データに基づいて前記投影手段による投影を行う投影制御手段とを備える。
【００２７】
このような構成であれば、投影データを記憶した記憶媒体が与えられると、読出手段に
より、その記憶媒体から投影データが取得され、投影制御手段により、読み出された投影
データに基づいて投影手段による投影が行われる。これにより、投影手段でスクリーンに
画像が投影される。
【００２８】
さらに、本発明に係る請求項９記載の投影装置は、請求項８記載の投影装置において、
前記読出手段で読み出した投影データが前記投影制御手段で投影可能な所定形式のデータ
でないときはその読み出した投影データを前記所定形式のデータに変換するデータ変換手
段を備える。
【００２９】
このような構成であれば、読み出された投影データが投影制御手段で投影可能な所定形
式のデータでないときは、データ変換手段により、読み出された投影データが所定形式の
データに変換される。
【００３０】
一方、上記目的を達成するために、本発明に係る請求項１０記載の表示装置は、画像を
表示する表示手段を備える表示装置において、表示対象となる表示データを蓄積するデー
タ蓄積端末と通信可能に接続したときにそのデータ蓄積端末から前記表示データを取得す
る取得手段と、前記取得手段で取得した表示データに基づいて前記表示手段による表示を
行う表示制御手段とを備え、前記取得手段は、外部端末と通信可能に接続したときに、そ
の外部端末からの取得要求に応じて前記データ蓄積端末から前記表示データを取得するよ
うになっている。
【００３１】
このような構成であれば、外部端末と通信可能に接続してその外部端末から取得要求を
受けると、取得手段により、その取得要求に応じて、データ蓄積端末と通信可能に接続し
てそのデータ蓄積端末から表示データが取得され、表示制御手段により、取得された表示
データに基づいて表示手段による表示が行われる。これにより、表示手段で画像が表示さ
れる。
【００３２】
ここで、表示手段は、画像を表示するものであればどのような構成であってもよく、こ
れには、スクリーンに画像を投影する投影器等の投影手段、または表示画面に画像を表示
するディスプレイ等の画面表示手段が含まれる。以下、請求項１２記載の表示システム、
および請求項１５記載の表示プログラムを記憶した記憶媒体において同じである。
【００３３】
また、表示データは、表示対象となるデータであればどのようなデータであってもよく
、これには、例えば、表示制御手段が直接表示することができるデータ、または表示制御
手段が直接表示することができなくても所定形式のデータに変換すれば表示することがで
きるデータが含まれる。以下、請求項１２記載の表示システム、および請求項１５記載の
表示プログラムを記憶した記憶媒体において同じである。
【００３４】
また、取得手段の具体的な構成としては、例えば、次のような構成が挙げられる。すな
わち、外部端末からの取得要求には、データ蓄積端末を特定するためのアドレスが含まれ
ており、取得手段は、外部端末からの取得要求に含まれるアドレスにより特定されるデー
タ蓄積端末から表示データを取得するようになっている。
【００３５】
このような構成であれば、外部端末から取得要求を受けると、取得手段により、その取
得要求に含まれるアドレスにより特定されるデータ蓄積端末から表示データが取得される
。
【００３６】
したがって、通信可能に接続されるすべてのデータ蓄積端末にある表示データを取得す
ることができる。したがって、各発表者は、プレゼンテーション資料をあらかじめ任意の
データ蓄積端末に格納しておけばよいので、使い勝手をさらに向上することができるとい
う効果も得られる。
【００３７】
また、取得手段の具体的な構成としては、例えば、次のような構成が挙げられる。すな
わち、取得手段は、外部端末からの取得要求を受けてその外部端末から認証情報を取得す
る認証情報取得手段と、認証情報取得手段で取得した認証情報をデータ蓄積端末に送信す
る認証情報送信手段と、データ蓄積端末で認証されたことを確認したときはデータ蓄積端
末から表示データを取得する表示データ取得手段とを有する。
【００３８】
このような構成であれば、外部端末から取得要求を受けると、認証情報取得手段により
、その外部端末から認証情報が取得され、認証情報送信手段により、取得された認証情報
がデータ蓄積端末に送信される。その結果、データ蓄積端末で認証されたことが確認され
ると、表示データ取得手段により、データ蓄積端末から表示データが取得される。
【００３９】
したがって、認証情報による認証を経て表示データを送信するデータ蓄積端末を利用す
ることができるので、発表者は、こうしたデータ蓄積端末にプレゼンテーション資料を格
納することも可能となり、プレゼンテーション資料に対する秘密性をある程度確保するこ
とができるという効果も得られる。
【００４０】
また、本装置の具体的な構成としては、例えば、次のような構成が挙げられる。すなわ
ち、取得手段で取得した表示データが表示制御手段で表示可能な所定形式のデータでない
ときはその取得した表示データを所定形式のデータに変換するデータ変換手段を備える。
【００４１】
このような構成であれば、取得された表示データが表示制御手段で表示可能な所定形式
のデータでないときは、データ変換手段により、取得された表示データが所定形式のデー
タに変換される。
【００４２】
したがって、表示装置が直接表示することができる表示データのみならず、表示装置が
直接表示することができなくても所定形式のデータに変換すれば表示することができる表
示データをも利用することができる。したがって、発表者は、表示装置で表示できるか否
かをさほど考慮することなく、プレゼンテーション資料を作成することができるので、使
い勝手をさらに向上することができるという効果も得られる。
【００４３】
さらに、本発明に係る請求項１１記載の表示装置は、請求項１０記載の表示装置におい
て、前記表示制御手段は、外部端末と通信可能に接続したときに、その外部端末からの表
示要求に応じて前記表示手段による表示を行うようになっている。
【００４４】
このような構成であれば、外部端末と通信可能に接続してその外部端末から表示要求を
受けると、表示制御手段により、その表示要求に応じて表示手段による表示が行われる。
【００４５】
ここで、表示要求は、本装置の制御に関する要求であり、これには、例えば、表示を開
始する要求、表示を終了する要求、表示する画像が複数ある場合は、それら画像を連続表
示する要求、一つ若しくは複数先の画像を表示する要求、または一つ若しくは複数前の画
像を表示する要求が含まれる。以下、請求項１３記載の表示システムにおいて同じである
。
【００４６】
一方、上記目的を達成するために、本発明に係る請求項１２記載の表示システムは、画
像を表示する表示手段を備える表示装置と、表示対象となる表示データを蓄積するデータ
蓄積端末と、前記表示装置をコントロールするコントロール端末とを通信可能に接続した
システムであって、前記コントロール端末は、前記データ蓄積端末から前記表示データを
取得すべき取得要求を送信するようになっており、前記表示装置は、前記コントロール端
末からの取得要求に応じて前記データ蓄積端末から前記表示データを取得する取得手段と
、前記取得手段で取得した表示データに基づいて前記表示手段による表示を行う表示制御
手段とを備える。
【００４７】
このような構成であれば、コントロール端末から取得要求が送信されると、表示装置で
は、取得手段により、その取得要求に応じて、データ蓄積端末と通信可能に接続してその
データ蓄積端末から表示データが取得され、表示制御手段により、取得された表示データ
に基づいて表示手段による表示が行われる。これにより、表示手段で画像が表示される。
【００４８】
ここで、コントロール端末は、データ蓄積端末から表示データを取得すべき取得要求を
送信するようになっていればどのような構成であってもよく、これには、例えば、本装置
をコントロールする通信機能を有するリモコン、携帯電話等の携帯可能な携帯端末、パソ
コンまたは電話が含まれる。
【００４９】
また、コントロール端末との接続は、表示装置に対してコントロール端末が能動的に行
うようにしてもよいし、これとは逆にコントロール端末に対して表示装置が能動的に行う
ようにしてもよいし、表示装置とコントロール端末とをあらかじめネットワーク等で接続
することにより行うようにしてもよい。
【００５０】
また、コントロール端末および取得手段の具体的な構成としては、例えば、次のような
構成が挙げられる。すなわち、コントロール端末は、データ蓄積端末を特定するためのア
ドレスを取得要求に含めて送信するようになっており、取得手段は、コントロール端末か
らの取得要求に含まれるアドレスにより特定されるデータ蓄積端末から表示データを取得
するようになっている。
【００５１】
このような構成であれば、表示装置では、コントロール端末から取得要求を受けると、
取得手段により、その取得要求に含まれるアドレスにより特定されるデータ蓄積端末から
表示データが取得される。
【００５２】
したがって、通信可能に接続されるすべてのデータ蓄積端末にある表示データを取得す
ることができる。したがって、各発表者は、プレゼンテーション資料をあらかじめ任意の
データ蓄積端末に格納しておけばよいので、使い勝手をさらに向上することができるとい
う効果も得られる。
【００５３】
また、取得手段の具体的な構成としては、例えば、次のような構成が挙げられる。すな
わち、取得手段は、コントロール端末からの取得要求を受けてそのコントロール端末から
認証情報を取得する認証情報取得手段と、認証情報取得手段で取得した認証情報をデータ
蓄積端末に送信する認証情報送信手段と、データ蓄積端末で認証されたことを確認したと
きはデータ蓄積端末から表示データを取得する表示データ取得手段とを有する。
【００５４】
このような構成であれば、表示装置では、コントロール端末から取得要求を受けると、
認証情報取得手段により、そのコントロール端末から認証情報が取得され、認証情報送信
手段により、取得された認証情報がデータ蓄積端末に送信される。その結果、データ蓄積
端末で認証されたことが確認されると、表示データ取得手段により、データ蓄積端末から
表示データが取得される。
【００５５】
したがって、認証情報による認証を経て表示データを送信するデータ蓄積端末を利用す
ることができるので、発表者は、こうしたデータ蓄積端末にプレゼンテーション資料を格
納することも可能となり、プレゼンテーション資料に対する秘密性をある程度確保するこ
とができるという効果も得られる。
【００５６】
また、表示装置の具体的な構成としては、例えば、次のような構成が挙げられる。すな
わち、表示装置は、取得手段で取得した表示データが表示制御手段で表示可能な所定形式
のデータでないときはその取得した表示データを所定形式のデータに変換するデータ変換
手段を備える。
【００５７】
このような構成であれば、表示装置では、取得された表示データが表示制御手段で表示
可能な所定形式のデータでないときは、データ変換手段により、取得された表示データが
所定形式のデータに変換される。
【００５８】
したがって、表示装置が直接表示することができる表示データのみならず、表示装置が
直接表示することができなくても所定形式のデータに変換すれば表示することができる表
示データをも利用することができる。したがって、発表者は、表示装置で表示できるか否
かをさほど考慮することなく、プレゼンテーション資料を作成することができるので、使
い勝手をさらに向上することができるという効果も得られる。
【００５９】
さらに、本発明に係る請求項１３記載の表示システムは、請求項１２記載の表示システ
ムにおいて、前記コントロール端末は、前記表示装置の制御に関する表示要求を送信する
ようになっており、前記表示制御手段は、前記コントロール端末からの表示要求に応じて
前記表示手段による表示を行うようになっている。
【００６０】
このような構成であれば、コントロール端末から表示要求が送信されると、表示装置で
は、表示制御手段により、その表示要求に応じて表示手段による表示が行われる。
【００６１】
一方、上記目的を達成するために、本発明に係る請求項１４記載の投影プログラムを記
憶した記憶媒体は、スクリーンに画像を投影する投影手段を利用する投影プログラムを記
憶した記憶媒体であって、投影対象となる投影データを蓄積するデータ蓄積端末と通信可
能に接続したときにそのデータ蓄積端末から前記投影データを取得する取得手段と、前記
取得手段で取得した投影データに基づいて前記投影手段による投影を行う投影制御手段と
して、コンピュータを機能させるためのプログラムを記憶した投影プログラムを記憶した
記憶媒体である。
【００６２】
このような構成であれば、記憶媒体に記憶されたプログラムがコンピュータによって読
み取られ、読み取られたプログラムに従ってコンピュータが機能したときは、請求項１記
載の投影装置と同様の作用が得られる。
【００６３】
ここで、取得手段の具体的な構成としては、例えば、請求項２ないし５のいずれかに記
載の取得手段と同様の構成が挙げられる。
【００６４】
また、投影制御手段の具体的な構成としては、例えば、請求項６記載の投影制御手段と
同様の構成が挙げられる。
【００６５】
また、本記憶媒体の具体的な構成としては、例えば、請求項７記載のデータ変換手段と
してコンピュータを機能させるプログラムを記憶したものが挙げられる。
【００６６】
一方、上記目的を達成するために、本発明に係る請求項１５記載の表示プログラムを記
憶した記憶媒体は、画像を表示する表示手段を利用する表示プログラムを記憶した記憶媒
体であって、表示対象となる表示データを蓄積するデータ蓄積端末と通信可能に接続した
ときにそのデータ蓄積端末から前記表示データを取得する取得手段と、前記取得手段で取
得した表示データに基づいて前記表示手段による表示を行う表示制御手段として、コンピ
ュータを機能させるためのプログラムを記憶し、前記取得手段は、外部端末と通信可能に
接続したときに、その外部端末からの取得要求に応じて前記データ蓄積端末から前記表示
データを取得するようになっている表示プログラムを記憶した記憶媒体である。
【００６７】
このような構成であれば、記憶媒体に記憶されたプログラムがコンピュータによって読
み取られ、読み取られたプログラムに従ってコンピュータが機能したときは、請求項１０
記載の表示装置と同様の作用が得られる。
【００６８】
ここで、取得手段の具体的な構成としては、例えば、課題を解決するための手段の記載
のうち上記請求項１０に対応する項目で例示した取得手段と同様の構成が挙げられる。
【００６９】
また、表示制御手段の具体的な構成としては、例えば、請求項１１記載の表示制御手段
と同様の構成が挙げられる。
【００７０】
また、本記憶媒体の具体的な構成としては、例えば、課題を解決するための手段の記載
のうち上記請求項１０に対応する項目で例示したデータ変換手段としてコンピュータを機
能させるプログラムを記憶したものが挙げられる。
【発明を実施するための最良の形態】
【００７１】
以下、本発明の実施の形態を図面を参照しながら説明する。図１ないし図７は、本発明
に係る投影装置、表示装置および表示システムの実施の形態を示す図である。
【００７２】
本実施の形態は、本発明に係る投影装置、表示装置および表示システムを、図１に示す
ように、プレゼンテーションを行う発表者が所持する携帯電話等のリモコン端末２００と
、複数のＷＷＷ（World Wide Web）サーバＤＳ1〜ＤＳmとにインターネット４００を介し
て通信可能に接続するプロジェクタ１００により、リモコン端末２００からの要求を受け
て、投影対象となる投影データをＷＷＷサーバＤＳ1〜ＤＳmのうちいずれかから取得し、
取得した投影データに基づいて画像をスクリーンに投影する場合について適用したもので
ある。なお、発明の理解を容易にするため、リモコン端末２００を１台しか図示していな
いが、実際には、異なる複数機種のリモコン端末２００がインターネット４００に接続可
能となっている。
【００７３】
まず、本発明を適用するネットワークシステムの構成を図１を参照しながら説明する。
図１は、本発明を適用するネットワークシステムの構成を示すブロック図である。
【００７４】
インターネット４００には、図１に示すように、スクリーンに画像を投影するプロジェ
クタ１００と、リモコン端末２００とインターネット４００との通信を中継する中継局３
１０と、投影データを蓄積するＷＷＷサーバＤＳ1〜ＤＳmとが接続されている。
【００７５】
中継局３１０には、リモコン端末２００と無線通信を行う複数の基地局３００が接続さ
れており、中継局３１０は、リモコン端末２００がインターネット４００に接続するとき
は、リモコン端末２００に代わってインターネット４００上での一端末となって、基地局
３００を介して受信したリモコン端末２００からのデータをインターネット４００を介し
て目的の端末に送信するとともに、インターネット４００上にある目的の端末のデータを
基地局３００を介してリモコン端末２００に送信するようになっている。
【００７６】
ＷＷＷサーバＤＳ1〜ＤＳmは、図示しないが、投影対象となる投影データを格納する記
憶部と、中継局３１０やプロジェクタ１００等のインターネット４００に接続される端末
からのリクエストに応じてその端末に記憶部の投影データを送信するリクエスト処理部と
で構成されている。
【００７７】
記憶部には、プロジェクタ１００が直接投影することができる投影データ、およびプロ
ジェクタ１００が直接投影することができなくても所定形式のデータに変換すれば投影す
ることができる投影データが格納されている。前者の投影データとしては、例えば、拡張
子が「ｐｐｔ」となるプレゼンテーション用のファイルが格納されており、後者の投影デ
ータとしては、例えば、テキストデータ、静止画像データ、ＭＰＥＧ等の動画データ、ま
たはＶＲＭＬ等の３Ｄ画像データ等の各種のファイルや、ＨＴＭＬ（Hyper Text Markup 
Language）ファイルが格納されている。なお、各ＷＷＷサーバＤＳ1〜ＤＳmの投影データ
は、各発表者がそれぞれ作成したものである。
【００７８】
リクエスト処理部は、図示しないＣＰＵが外部記憶装置等に格納されたプログラムを実
行することにより実現される機能であって、外部端末（プロジェクタ１００等）からのデ
ータ送信リクエストがあったときは、ユーザＩＤやパスワード等の認証情報の入力をアク
セスのあった外部端末に要求し、その要求に応じて入力された認証情報とあらかじめ登録
している認証情報とを照合し、それらが一致しているときは、記憶部の投影データを送信
するようになっている。
【００７９】
次に、プロジェクタ１００の構成を図２を参照しながら説明する。図２は、プロジェク
タ１００の構成を示すブロック図である。
【００８０】
プロジェクタ１００は、図２に示すように、制御プログラムに基づいて演算およびシス
テム全体を制御するＣＰＵ３０と、所定領域にあらかじめＣＰＵ３０の制御プログラム等
を格納しているＲＯＭ３２と、ＲＯＭ３２等から読み出したデータやＣＰＵ３０の演算過
程で必要な演算結果を格納するためのＲＡＭ３４と、外部装置に対してデータの入出力を
媒介するＩ／Ｆ３８とで構成されており、これらは、データを転送するための信号線であ
るバス３９で相互にかつデータ授受可能に接続されている。
【００８１】
Ｉ／Ｆ３８には、外部装置として、ヒューマンインターフェースとしてデータの入力が
可能なキーボード等からなる入力装置４０と、データやテーブル等をファイルとして格納
する記憶装置４２と、画像信号に基づいてスクリーンに画像を投影する投影器４４と、イ
ンターネット４００に接続するための信号線とが接続されている。
【００８２】
記憶装置４２には、リモコン端末２００においてＷＷＷサーバＤＳのインターネット４
００上の位置を一意に特定するＵＲＬ（Universal Resource Locater）およびユーザＩＤ
やパスワード等の認証情報を入力するための所定の入力項目を含む取得情報入力画面を構
成する取得用画面構成データと、リモコン端末２００において後段で詳述する投影要求を
入力するための所定の入力項目を含む投影要求入力画面を構成する投影用画面構成データ
とが格納されている。これらデータは、例えば、ＨＴＭＬ等で記述されたファイルであっ
てブラウザ等により入力パネルとして表示可能なものである。
【００８３】
ＣＰＵ３０は、マイクロプロセッシングユニットＭＰＵ等からなり、ＲＯＭ３２の所定
領域に格納されている所定のプログラムを起動させ、そのプログラムに従って、図３のフ
ローチャートに示す投影データ取得処理および図４のフローチャートに示す投影処理を実
行するようになっている。なお、これら処理は、ＣＰＵ３０においてそれぞれ並列に実行
されるものである。
【００８４】
初めに、投影データ取得処理を図３を参照しながら説明する。図３は、投影データ取得
処理を示すフローチャートである。
【００８５】
投影データ取得処理は、リモコン端末２００から受信した取得要求、または入力装置４
０から入力した取得要求を受けて、ＷＷＷサーバＤＳ1〜ＤＳmのうち取得要求に係るもの
から投影データを取得する処理であって、ＣＰＵ３０において実行されると、図３に示す
ように、まず、ステップＳ１００に移行する。
【００８６】
ステップＳ１００では、ＷＷＷサーバＤＳ1〜ＤＳmから投影データを取得すべき取得要
求を入力装置４０から入力したか否かを判定し、取得要求を入力したと判定されたとき(Y
es)は、ステップＳ１０２に移行して、ＵＲＬおよび認証情報を入力装置４０から入力し
、ステップＳ１０４に移行する。
【００８７】
ステップＳ１０４では、ＵＲＬにより特定されるＷＷＷサーバＤＳに認証情報を送信し
、ステップＳ１０６に移行して、ＵＲＬにより特定されるＷＷＷサーバＤＳで認証された
か否かを判定し、認証されたと判定されたとき(Yes)は、ステップＳ１０８に移行して、
ＵＲＬにより特定されるＷＷＷサーバＤＳから投影データを取得し、ステップＳ１１０に
移行する。
【００８８】
ステップＳ１１０では、取得した投影データがプロジェクタ１００で投影可能な所定形
式のデータ（例えば、拡張子が「ｐｐｔ」となるプレゼンテーション用のファイル）であ
るか否かを判定し、投影データが投影可能な所定形式のデータであると判定されたとき(Y
es)は、ステップＳ１１２に移行して、投影データを記憶装置４２に格納し、ステップＳ
１００に移行する。
【００８９】
一方、ステップＳ１１０で、取得した投影データがプロジェクタ１００で投影可能な所
定形式のデータでないと判定されたとき(No)は、ステップＳ１１４に移行して、取得した
投影データを所定形式のデータに変換し、ステップＳ１１２に移行する。
【００９０】
一方、ステップＳ１０６で、ＵＲＬにより特定されるＷＷＷサーバＤＳで認証されなか
ったと判定されたとき(No)は、ステップＳ１１６に移行して、エラーデータを記憶装置４
２に格納し、ステップＳ１００に移行する。
【００９１】
一方、ステップＳ１００で、取得要求を入力装置４０から入力しないと判定されたとき
(No)は、ステップＳ１１８に移行して、取得用画面構成データの送信要求をリモコン端末
２００から受信したか否かを判定し、取得用画面構成データの送信要求を受信したと判定
されたとき(Yes)は、ステップＳ１２０に移行する。
【００９２】
ステップＳ１２０では、取得用画面構成データを記憶装置４２から読み出してリモコン
端末２００に送信し、ステップＳ１２２に移行して、ＵＲＬおよび認証情報をリモコン端
末２００から受信したか否かを判定し、ＵＲＬおよび認証情報を受信したと判定されたと
き(Yes)は、ステップＳ１０４に移行する。
【００９３】
一方、ステップＳ１２２で、ＵＲＬおよび認証情報をリモコン端末２００から受信しな
いと判定されたとき(No)は、ＵＲＬおよび認証情報を受信するまでステップＳ１２２で待
機する。
【００９４】
一方、ステップＳ１１８で、取得用画面構成データの送信要求をリモコン端末２００か
ら受信しないと判定されたとき(No)は、ステップＳ１００に移行する。
【００９５】
次に、投影処理を図４を参照しながら説明する。図４は、投影処理を示すフローチャー
トである。
【００９６】
投影処理は、リモコン端末２００から受信した投影要求、または入力装置４０から入力
した投影要求を受けて、記憶装置４２の投影データに基づき投影器４４による投影を行う
処理であって、ＣＰＵ３０において実行されると、図４に示すように、まず、ステップＳ
１５０に移行する。
【００９７】
ステップＳ１５０では、投影要求を入力装置４０から入力したか否かを判定し、投影要
求を入力したと判定されたとき(Yes)は、ステップＳ１５２に移行する。ここで、投影要
求は、プロジェクタ１００の制御に関する要求であり、これには、例えば、投影を開始す
る要求、投影を終了する要求、投影する画像が複数ある場合は、それら画像を連続投影す
る要求、一つ若しくは複数先の画像を投影する要求、または一つ若しくは複数前の画像を
投影する要求がある。
【００９８】
ステップＳ１５２では、投影要求が投影を終了する要求であるか否かを判定し、投影要
求が投影を終了する要求でないと判定されたとき(No)は、ステップＳ１５４に移行して、
記憶装置４２からデータを読み出し、ステップＳ１５６に移行して、読み出したデータが
エラーデータであるか否かを判定し、読み出したデータがエラーデータでないと判定され
たとき(No)は、ステップＳ１５８に移行する。
【００９９】
ステップＳ１５８では、投影要求に応じて、読み出した投影データに基づいた画像を投
影することとなる画像信号を投影器４４に出力することにより投影器４４による投影を行
い、ステップＳ１５０に移行する。
【０１００】
一方、ステップＳ１５６で、読み出したデータがエラーデータであると判定されたとき
(Yes)は、ステップＳ１６０に移行して、読み出したエラーデータに基づいたエラーメッ
セージを投影することとなる画像信号を投影器４４に出力することにより投影器４４によ
る投影を行い、ステップＳ１５０に移行する。
【０１０１】
一方、ステップＳ１５０で、投影要求を入力装置４０から入力しないと判定されたとき
(No)は、ステップＳ１６２に移行して、投影用画面構成データの送信要求をリモコン端末
２００から受信したか否かを判定し、投影用画面構成データの送信要求を受信したと判定
されたとき（Yes）は、ステップＳ１６４に移行する。
【０１０２】
ステップＳ１６４では、投影用画面構成データを記憶装置４２から読み出してリモコン
端末２００に送信し、ステップＳ１６６に移行して、投影要求をリモコン端末２００から
受信したか否かを判定し、投影要求を受信したと判定されたとき(Yes)は、ステップＳ１
５２に移行する。
【０１０３】
一方、ステップＳ１６６で、投影要求をリモコン端末２００から受信しないと判定され
たとき(No)は、投影要求を受信するまでステップＳ１６６で待機する。
【０１０４】
一方、ステップＳ１６２で、投影用画面構成データの送信要求をリモコン端末２００か
ら受信しないと判定されたとき(No)は、ステップＳ１５０に移行する。
【０１０５】
次に、リモコン端末２００の構成を図５を参照しながら説明する。図５は、リモコン端
末２００の構成を示すブロック図である。
【０１０６】
リモコン端末２００は、図５に示すように、制御プログラムに基づいて演算およびシス
テム全体を制御するＣＰＵ５０と、所定領域にあらかじめＣＰＵ５０の制御プログラム等
を格納しているＲＯＭ５２と、ＲＯＭ５２等から読み出したデータやＣＰＵ５０の演算過
程で必要な演算結果を格納するためのＲＡＭ５４と、ＲＡＭ５４の特定領域に格納されて
いるデータを画像信号に変換してＬＣＤ（Liquid Crystal Display）６４に出力するＬＣ
ＤＣ（Liquid Crystal Display Controller）５６と、外部装置に対してデータの入出力
を媒介するＩ／Ｆ５８とで構成されており、これらは、データを転送するための信号線で
あるバス５９で相互にかつデータ授受可能に接続されている。
【０１０７】
Ｉ／Ｆ５８には、外部装置として、ヒューマンインターフェースとして複数のキーによ
りデータの入力が可能なキーパネル６０と、基地局３００と無線により通信を行う送受信
制御装置６２と、画像信号に基づいて画面を表示するＬＣＤ６４とが接続されている。
【０１０８】
ＲＡＭ５４は、特定領域として、ＬＣＤ６４に表示するための表示用データを格納する
ＶＲＡＭ５５を有しており、ＶＲＡＭ５５は、ＣＰＵ５０とＬＣＤＣ５６とで独立にアク
セスが可能となっている。
【０１０９】
ＬＣＤＣ５６は、ＶＲＡＭ５５に格納されている表示用データを先頭アドレスから所定
周期で順次読み出し、読み出した表示用データを画像信号に変換してＬＣＤ６４に出力す
るようになっている。
【０１１０】
ＣＰＵ５０は、マイクロプロセッシングユニットＭＰＵ等からなり、ＲＯＭ５２の所定
領域に格納されている所定のプログラムを起動させ、そのプログラムに従って、図６のフ
ローチャートに示す要求送信処理を実行するようになっている。図６は、要求送信処理を
示すフローチャートである。
【０１１１】
要求送信処理は、プロジェクタ１００に取得要求または投影要求を送信する処理であっ
て、ＣＰＵ５０において実行されると、図６に示すように、まず、ステップＳ２００に移
行する。
【０１１２】
ステップＳ２００では、取得要求をキーパネル６０から入力したか否かを判定し、取得
要求を入力したと判定されたとき(Yes)は、ステップＳ２０２に移行して、取得用画面構
成データの送信要求をプロジェクタ１００に送信し、ステップＳ２０４に移行して、取得
用画面構成データをプロジェクタ１００から受信したか否かを判定し、取得用画面構成デ
ータを受信したと判定されたとき(Yes)は、ステップＳ２０６に移行する。
【０１１３】
ステップＳ２０６では、受信した取得用画面構成データに基づいて取得情報入力画面を
構成して表示し、ステップＳ２０８に移行して、表示された取得情報入力画面に対して入
力されたＵＲＬおよび認証情報を取得し、ステップＳ２１０に移行して、取得したＵＲＬ
および認証情報をプロジェクタ１００に送信し、ステップＳ２１２に移行する。
【０１１４】
ステップＳ２１２では、投影要求をキーパネル６０から入力したか否かを判定し、投影
要求を入力したと判定されたとき(Yes)は、ステップＳ２１４に移行して、投影用画面構
成データの送信要求をプロジェクタ１００に送信し、ステップＳ２１６に移行して、投影
用画面構成データをプロジェクタ１００から受信したか否かを判定し、投影用画面構成デ
ータを受信したと判定されたとき(Yes)は、ステップＳ２１８に移行する。
【０１１５】
ステップＳ２１８では、受信した投影用画面構成データに基づいて投影要求入力画面を
構成して表示し、ステップＳ２２０に移行して、表示された投影要求入力画面に対して入
力された投影要求を取得し、ステップＳ２２２に移行して、取得した投影要求をプロジェ
クタ１００に送信し、ステップＳ２００に移行する。
【０１１６】
一方、ステップＳ２１６で、投影用画面構成データをプロジェクタ１００から受信しな
いと判定されたとき(No)は、投影用画面構成データを受信するまでステップＳ２１６で待
機する。
【０１１７】
一方、ステップＳ２１２で、投影要求をキーパネル６０から入力しないと判定されたと
き(No)は、ステップＳ２００に移行する。
【０１１８】
一方、ステップＳ２０４で、取得用画面構成データをプロジェクタ１００から受信しな
いと判定されたとき(No)は、取得用画面構成データを受信するまでステップＳ２０４で待
機する。
【０１１９】
一方、ステップＳ２００で、取得要求をキーパネル６０から入力しないと判定されたと
き(No)は、ステップＳ２１２に移行する。
【０１２０】
次に、上記実施の形態の動作を図７を参照しながら説明する。図７は、リモコン端末２
００で表示される取得情報入力画面および投影要求入力画面を示す図である。
【０１２１】
初めに、発表者がプロジェクタ１００を用いてプレゼンテーションを行う場合を説明す
る。
【０１２２】
発表者がプロジェクタ１００を用いてプレゼンテーションを行う場合は、まず、発表者
が取得要求を入力装置４０に入力し、次いでプレゼンテーション資料となる投影データが
格納されているＷＷＷサーバＤＳのＵＲＬ、およびそのＷＷＷサーバＤＳで認証を受ける
ための認証情報を入力装置４０に入力する。ここで、発表者は、例えば、ＷＷＷサーバＤ
Ｓ1のＵＲＬ、およびＷＷＷサーバＤＳ1で認証を受けるための認証情報を入力する。なお
、ＷＷＷサーバＤＳ1の記憶部には、プロジェクタ１００で投影可能な所定形式のデータ
が格納されているものとする。
【０１２３】
プロジェクタ１００では、取得要求、ＵＲＬおよび認証情報が入力されると、ステップ
Ｓ１００〜Ｓ１０４を経て、ＵＲＬにより特定されるＷＷＷサーバＤＳ1に認証情報が送
信される。次いで、入力された認証情報がＷＷＷサーバＤＳ1で認証を受けるための認証
情報であることから、ＷＷＷサーバＤＳ1で認証され、ステップＳ１０６〜Ｓ１１２を経
て、ＵＲＬにより特定されるＷＷＷサーバＤＳ1から投影データが取得され、取得された
投影データが記憶装置４２に格納される。
【０１２４】
次いで、発表者は、例えば、投影を開始する要求である投影要求を入力装置４０に入力
する。
【０１２５】
プロジェクタ１００では、投影データが記憶装置４２に格納された状態で投影要求が入
力されると、ステップＳ１５０〜Ｓ１５８を経て、記憶装置４２から投影データが読み出
され、投影要求に応じて、読み出された投影データに基づいた画像を投影することとなる
画像信号が投影器４４に出力される。これにより、投影器４４でスクリーンに画像が投影
される。
【０１２６】
次に、発表者がリモコン端末２００を用いてプレゼンテーションを行う場合を説明する
。
【０１２７】
発表者がリモコン端末２００を用いてプレゼンテーションを行う場合は、まず、発表者
が取得要求をキーパネル６０に入力すると、ステップＳ２００，Ｓ２０２を経て、取得用
画面構成データの送信要求がプロジェクタ１００に送信される。
【０１２８】
プロジェクタ１００では、取得用画面構成データの送信要求を受信すると、ステップＳ
１１８，Ｓ１２０を経て、取得用画面構成データが記憶装置４２から読み出されてリモコ
ン端末２００に送信される。
【０１２９】
リモコン端末２００では、取得用画面構成データを受信すると、ステップＳ２０４，Ｓ
２０６を経て、図７（ａ）に示すように、受信した取得用画面構成データに基づいて、取
得情報入力画面が構成されて表示される。ここで、表示された取得情報入力画面に対して
発表者がキーパネル６０によりプレゼンテーション資料となる投影データが格納されてい
るＷＷＷサーバＤＳのＵＲＬ、およびそのＷＷＷサーバＤＳで認証を受けるための認証情
報を入力する。このとき、発表者は、例えば、ＷＷＷサーバＤＳ1のＵＲＬ、およびＷＷ
ＷサーバＤＳ1で認証を受けるための認証情報を入力する。なお、ＷＷＷサーバＤＳ1の記
憶部には、プロジェクタ１００で投影可能な所定形式のデータが格納されているものとす
る。
【０１３０】
リモコン端末２００では、取得情報入力画面に対してＵＲＬおよび認証情報が入力され
ると、ステップＳ２０８，Ｓ２１０を経て、取得情報入力画面に対して入力されたＵＲＬ
および認証情報が取得され、取得されたＵＲＬおよび認証情報がプロジェクタ１００に送
信される。
【０１３１】
プロジェクタ１００では、取得要求、ＵＲＬおよび認証情報を受信すると、ステップＳ
１００〜Ｓ１０４を経て、ＵＲＬにより特定されるＷＷＷサーバＤＳ1に認証情報が送信
される。次いで、リモコン端末２００で入力された認証情報がＷＷＷサーバＤＳ1で認証
を受けるための認証情報であることから、ＷＷＷサーバＤＳ1で認証され、ステップＳ１
０６〜Ｓ１１２を経て、ＵＲＬにより特定されるＷＷＷサーバＤＳ1から投影データが取
得され、取得された投影データが記憶装置４２に格納される。
【０１３２】
次いで、発表者は、例えば、投影を開始する要求である投影要求をキーパネル６０に入
力すると、ステップＳ２１２，Ｓ２１４を経て、投影用画面構成データの送信要求がプロ
ジェクタ１００に送信される。
【０１３３】
プロジェクタ１００では、投影用画面構成データの送信要求を受信すると、ステップＳ
１６２，Ｓ１６４を経て、投影用画面構成データが記憶装置４２から読み出されてリモコ
ン端末２００に送信される。
【０１３４】
リモコン端末２００では、投影用画面構成データを受信すると、ステップＳ２１６，Ｓ
２１８を経て、図７（ｂ）に示すように、受信した投影用画面構成データに基づいて、投
影要求入力画面が構成されて表示される。ここで、表示された投影要求入力画面に対して
発表者がキーパネル６０により投影要求を入力すると、ステップＳ２２０，Ｓ２２２を経
て、投影要求入力画面に対して入力された投影要求が取得され、取得された投影要求がプ
ロジェクタ１００に送信される。
【０１３５】
プロジェクタ１００では、投影データが記憶装置４２に格納された状態で投影要求を受
信すると、ステップＳ１５０〜Ｓ１５８を経て、記憶装置４２から投影データが読み出さ
れ、投影要求に応じて、読み出された投影データに基づいた画像を投影することとなる画
像信号が投影器４４に出力される。これにより、投影器４４でスクリーンに画像が投影さ
れる。
【０１３６】
なお、発表者が、ＷＷＷサーバＤＳ1のＵＲＬを入力したにもかかわらず、ＷＷＷサー
バＤＳ1で認証を受けるための認証情報以外の認証情報を入力すると、ＷＷＷサーバＤＳ1
で認証されず、ステップＳ１０６，Ｓ１１６を経て、エラーデータが記憶装置４２に格納
される。次いで、ステップＳ１５０〜Ｓ１５６，Ｓ１６０を経て、記憶装置４２からエラ
ーデータが読み出され、読み出されたエラーデータに基づいたエラーメッセージを投影す
ることとなる画像信号が投影器４４に出力される。これにより、投影器４４でスクリーン
にエラーメッセージが投影される。
【０１３７】
また、ＷＷＷサーバＤＳ1の記憶部に、プロジェクタ１００が直接投影することができ
なくても所定形式のデータに変換すれば投影することができる投影データが記憶されてい
る場合は、プロジェクタ１００では、ステップＳ１０６〜Ｓ１１０，Ｓ１１４，Ｓ１１２
を経て、ＵＲＬにより特定されるＷＷＷサーバＤＳ1から投影データが取得され、取得さ
れた投影データが所定形式のデータに変換されて記憶装置４２に格納される。
【０１３８】
このようにして、本実施の形態では、プロジェクタ１００は、ＷＷＷサーバＤＳから投
影データを取得し、取得した投影データに基づいて投影器４４による投影を行うようにし
た。
【０１３９】
これにより、発表会場においてプレゼンテーションを行う場合に、各発表者のプレゼン
テーション資料を一つのノート型コンピュータ等にまとめなくても、各発表者は、プレゼ
ンテーション資料をあらかじめＷＷＷサーバＤＳに格納しておけば、ＷＷＷサーバＤＳの
ＵＲＬを入力するだけで、プレゼンテーションを行うことができる。したがって、従来の
ように、発表ごとにノート型コンピュータ等をプロジェクタに接続しなくてすむばかりか
、発表者にとっても、発表会場にノート型コンピュータ等を持ち込まなくてすむので、従
来に比して、手間や労力の面で有利に、プレゼンテーションを行うことができる。
【０１４０】
さらに、本実施の形態では、プロジェクタ１００は、入力装置４０で入力したＵＲＬに
より特定されるＷＷＷサーバＤＳから投影データを取得するようにした。
【０１４１】
これにより、インターネット４００に接続されるすべてのＷＷＷサーバＤＳにある投影
データを取得することができる。したがって、各発表者は、プレゼンテーション資料をあ
らかじめ任意のＷＷＷサーバＤＳに格納しておけばよいので、従来に比して、使い勝手を
向上することができる。
【０１４２】
さらに、本実施の形態では、プロジェクタ１００は、リモコン端末２００からの取得要
求に応じてＷＷＷサーバＤＳから投影データを取得するようにした。
【０１４３】
これにより、発表者は、プロジェクタ１００から離れた場所においてプレゼンテーショ
ンを行うことができる。例えば、複数の発表会場にプロジェクタ１００を設置し、発表者
と各発表会場との間でテレビ会議をすることができるようにしておけば、発表者は、テレ
ビ会議を通じて複数の発表会場で同時に同じ内容のプレゼンテーションを行うことができ
る。したがって、使い勝手をさらに向上することができる。
【０１４４】
さらに、本実施の形態では、プロジェクタ１００は、リモコン端末２００からの取得要
求に含まれるＵＲＬにより特定されるＷＷＷサーバＤＳから投影データを取得するように
した。
【０１４５】
これにより、インターネット４００に接続されるすべてのＷＷＷサーバＤＳにある投影
データを取得することができる。したがって、各発表者は、プレゼンテーション資料をあ
らかじめ任意のＷＷＷサーバＤＳに格納しておけばよいので、使い勝手をさらに向上する
ことができる。
【０１４６】
さらに、本実施の形態では、プロジェクタ１００は、リモコン端末２００からの取得要
求を受けてリモコン端末２００から認証情報を取得し、取得した認証情報をＷＷＷサーバ
ＤＳに送信し、ＷＷＷサーバＤＳで認証されたことを確認したときは、ＷＷＷサーバＤＳ
から投影データを取得するようにした。
【０１４７】
これにより、認証情報による認証を経て投影データを送信するＷＷＷサーバＤＳを利用
することができるので、発表者は、こうしたＷＷＷサーバＤＳにプレゼンテーション資料
を格納することも可能となり、プレゼンテーション資料に対する秘密性をある程度確保す
ることができる。
【０１４８】
さらに、本実施の形態では、プロジェクタ１００は、リモコン端末２００からの投影要
求に応じて投影器４４による投影を行うようにした。
【０１４９】
これにより、発表者は、プロジェクタ１００から離れた場所においてプレゼンテーショ
ンを行うことができる。例えば、複数の発表会場にプロジェクタ１００を設置し、発表者
と各発表会場との間でテレビ会議をすることができるようにしておけば、発表者は、テレ
ビ会議を通じて複数の発表会場で同時に同じ内容のプレゼンテーションを行うことができ
る。したがって、使い勝手をさらに向上することができる。
【０１５０】
さらに、本実施の形態では、プロジェクタ１００は、取得した投影データがプロジェク
タ１００で投影可能な所定形式のデータでないときは、取得した投影データを所定形式の
データに変換するようにした。
【０１５１】
これにより、プロジェクタ１００が直接投影することができる投影データのみならず、
プロジェクタ１００が直接投影することができなくても所定形式のデータに変換すれば投
影することができる投影データをも利用することができる。したがって、発表者は、プロ
ジェクタ１００で投影できるか否かをさほど考慮することなく、プレゼンテーション資料
を作成することができるので、使い勝手をさらに向上することができる。
【０１５２】
さらに、本実施の形態では、プロジェクタ１００は、リモコン端末２００からの送信要
求に応じて取得用画面構成データを送信するようにし、リモコン端末２００は、取得用画
面構成データの送信要求をプロジェクタ１００に送信し、これに応じて取得用画面構成デ
ータを受信したときは、受信した取得用画面構成データに基づいて取得情報入力画面を構
成して表示し、表示した取得情報入力画面に対して入力されたＵＲＬおよび認証情報を取
得してプロジェクタ１００に送信するようにした。
【０１５３】
これにより、リモコン端末２００は、プロジェクタ１００との間であらかじめＵＲＬお
よび認証情報を送受信するための特別な通信方法を規定しておかなくても、プロジェクタ
１００との間でＵＲＬおよび認証情報を送受信することができる。したがって、リモコン
端末２００をプロジェクタ１００に特化したものとする必要がなく、リモコン端末２００
として、例えば、ＮＴＴ移動通信網株式会社（ＮＴＴ  ＤｏＣｏＭｏ)が提供するｉモー
ド（登録商標）を利用することもできるので、拡張性を比較的向上することができる。
【０１５４】
さらに、本実施の形態では、プロジェクタ１００は、リモコン端末２００からの送信要
求に応じて投影用画面構成データを送信するようにし、リモコン端末２００は、投影用画
面構成データの送信要求をプロジェクタ１００に送信し、これに応じて投影用画面構成デ
ータを受信したときは、受信した投影用画面構成データに基づいて投影要求入力画面を構
成して表示し、表示した投影要求入力画面に対して入力された投影要求を取得してプロジ
ェクタ１００に送信するようにした。
【０１５５】
これにより、リモコン端末２００は、プロジェクタ１００との間であらかじめ投影要求
を送受信するための特別な通信方法を規定しておかなくても、プロジェクタ１００との間
で投影要求を送受信することができる。したがって、リモコン端末２００をプロジェクタ
１００に特化したものとする必要がなく、リモコン端末２００として、例えば、上記ｉモ
ード（登録商標）を利用することもできるので、拡張性を比較的向上することができる。
【０１５６】
上記実施の形態において、ＵＲＬは、請求項２または４記載のアドレスに対応し、投影
データは、請求項１０、１２または１５記載の表示データに対応している。
【０１５７】
また、上記実施の形態において、プロジェクタ１００は、請求項１２または１３記載の
表示装置に対応し、投影器４４は、請求項１、６または１４記載の投影手段、および請求
項１０ないし１３または１５記載の表示手段に対応し、入力装置４０は、請求項２記載の
入力手段に対応し、ステップＳ１０８は、請求項１ないし５、７、１０、１２、１４また
は１５記載の取得手段に対応している。また、ステップＳ１５８は、請求項１、６、７ま
たは１４記載の投影制御手段、および請求項１０、１１、１２、１３または１５記載の表
示制御手段に対応し、ステップＳ１２０は、請求項５記載の認証情報取得手段に対応し、
ステップＳ１０４は、請求項５記載の認証情報送信手段に対応し、ステップＳ１０８は、
請求項５記載の投影データ取得手段に対応し、ステップＳ１１０，Ｓ１１４は、請求項７
記載のデータ変換手段に対応している。
【０１５８】
また、上記実施の形態において、ＷＷＷサーバＤＳ1〜ＤＳmは、請求項１ないし５、１
０、１２、１４または１５記載のデータ蓄積端末に対応し、リモコン端末２００は、請求
項３ないし６、１０、１１または１５記載の外部端末、および請求項１２または１３記載
のコントロール端末に対応している。
【０１５９】
なお、上記実施の形態においては、プロジェクタ１００は、ＷＷＷサーバＤＳから投影
データを取得し、取得した投影データに基づいて投影器４４による投影を行うように構成
したが、これに限らず、投影データを記憶したＦＤ等の記憶媒体が与えられたときにその
記憶媒体から投影データを読み出し、読み出した投影データに基づいて投影器４４による
投影を行うように構成してもよい。
【０１６０】
このような構成であれば、発表会場においてプレゼンテーションを行う場合に、各発表
者のプレゼンテーション資料を一つのノート型コンピュータ等にまとめなくても、各発表
者は、プレゼンテーション資料をＦＤ等の記憶媒体に記憶しておけば、プロジェクタ１０
０に記憶媒体を与えるだけで、プレゼンテーションを行うことができる。したがって、従
来のように、発表ごとにノート型コンピュータ等をプロジェクタに接続しなくてすむばか
りか、発表者にとっても、発表会場にノート型コンピュータ等を持ち込まなくてすむので
、従来に比して、手間や労力の面で有利に、プレゼンテーションを行うことができる。
【０１６１】
また、上記実施の形態においては、プロジェクタ１００は、リモコン端末２００からの
送信要求に応じて取得用画面構成データを送信するように構成したが、これに限らず、プ
ロジェクタ１００に代わって中継局３１０が、リモコン端末２００からの送信要求に応じ
て取得用画面構成データを送信するように構成してもよい。
【０１６２】
また、上記実施の形態においては、プロジェクタ１００とリモコン端末２００との間で
取得用画面構成データのやりとりを経て、リモコン端末２００がプロジェクタ１００にＵ
ＲＬおよび認証情報を送信するように構成したが、これに限らず、プロジェクタ１００と
リモコン端末２００との間で取得用画面構成データのやりとりを経ずに、リモコン端末２
００がプロジェクタ１００に直接ＵＲＬおよび認証情報を送信するように構成してもよい
。
【０１６３】
また、上記実施の形態においては、プロジェクタ１００は、リモコン端末２００からの
送信要求に応じて投影用画面構成データを送信するように構成したが、これに限らず、プ
ロジェクタ１００に代わって中継局３１０が、リモコン端末２００からの送信要求に応じ
て投影用画面構成データを送信するように構成してもよい。
【０１６４】
また、上記実施の形態においては、プロジェクタ１００とリモコン端末２００との間で
投影用画面構成データのやりとりを経て、リモコン端末２００がプロジェクタ１００に投
影要求を送信するように構成したが、これに限らず、プロジェクタ１００とリモコン端末
２００との間で投影用画面構成データのやりとりを経ずに、リモコン端末２００がプロジ
ェクタ１００に直接投影要求を送信するように構成してもよい。
【０１６５】
また、上記実施の形態において、図３、図４および図６のフローチャートに示す処理を
実行するにあたっては、ＲＯＭ３２，５２にあらかじめ格納されている制御プログラムを
実行する場合について説明したが、これに限らず、これらの手順を示したプログラムが記
憶された記憶媒体から、そのプログラムをＲＡＭ３４，５４に読み込んで実行するように
してもよい。
【０１６６】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【０１６７】
また、上記実施の形態においては、本発明に係る投影装置、表示装置および表示システ
ムを、図１に示すように、プレゼンテーションを行う発表者が所持する携帯電話等のリモ
コン端末２００と、ＷＷＷサーバＤＳ1〜ＤＳmとにインターネット４００を介して通信可
能に接続するプロジェクタ１００により、リモコン端末２００からの要求を受けて、投影
対象となる投影データをＷＷＷサーバＤＳ1〜ＤＳmのうちいずれかから取得し、取得した
投影データに基づいて画像をスクリーンに投影する場合について適用したが、これに限ら
ず、本発明の主旨を逸脱しない範囲で他の場合にも適用可能である。
【０１６８】
例えば、プレゼンテーションを行う発表者が所持する携帯電話等のリモコン端末２００
と、ＷＷＷサーバＤＳ1〜ＤＳmとにインターネット４００を介して通信可能に接続するデ
ィスプレイを備えるコンピュータにより、リモコン端末２００からの要求を受けて、投影
対象となる投影データをＷＷＷサーバＤＳ1〜ＤＳmのうちいずれかから取得し、取得した
投影データに基づいて画像をディスプレイに表示する場合について適用することも可能で
ある。
【０１６９】
以上説明したように、本発明に係る請求項１ないし７記載の投影装置によれば、プレゼ
ンテーションを行う場合に、各発表者は、プレゼンテーション資料をあらかじめデータ蓄
積端末に格納しておけば、データ蓄積端末から取得するだけの簡単な操作で、プレゼンテ
ーションを行うことができる。したがって、従来に比して、手間や労力の面で有利に、プ
レゼンテーションを行うことができるという効果が得られる。
【０１７０】
さらに、本発明に係る請求項２記載の投影装置によれば、通信可能に接続されるすべて
のデータ蓄積端末にある投影データを取得することができる。したがって、各発表者は、
プレゼンテーション資料をあらかじめ任意のデータ蓄積端末に格納しておけばよいので、
従来に比して、使い勝手を向上することができるという効果も得られる。
【０１７１】
さらに、本発明に係る請求項３または６記載の投影装置によれば、発表者は、投影装置
から離れた場所においてプレゼンテーションを行うことができる。したがって、使い勝手
をさらに向上することができるという効果も得られる。
【０１７２】
さらに、本発明に係る請求項４記載の投影装置によれば、通信可能に接続されるすべて
のデータ蓄積端末にある投影データを取得することができる。したがって、各発表者は、
プレゼンテーション資料をあらかじめ任意のデータ蓄積端末に格納しておけばよいので、
使い勝手をさらに向上することができるという効果も得られる。
【０１７３】
さらに、本発明に係る請求項５記載の投影装置によれば、認証情報による認証を経て投
影データを送信するデータ蓄積端末を利用することができるので、発表者は、こうしたデ
ータ蓄積端末にプレゼンテーション資料を格納することも可能となり、プレゼンテーショ
ン資料に対する秘密性をある程度確保することができるという効果も得られる。
【０１７４】
さらに、本発明に係る請求項７記載の投影装置によれば、投影装置が直接投影すること
ができる投影データのみならず、投影装置が直接投影することができなくても所定形式の
データに変換すれば投影することができる投影データをも利用することができる。したが
って、発表者は、投影装置で投影できるか否かをさほど考慮することなく、プレゼンテー
ション資料を作成することができるので、使い勝手をさらに向上することができるという
効果も得られる。
【０１７５】
さらに、本発明に係る請求項８または９記載の投影装置によれば、プレゼンテーション
を行う場合に、各発表者は、プレゼンテーション資料をあらかじめ記憶媒体に記憶してお
けば、記憶媒体から読み出すだけの簡単な操作で、プレゼンテーションを行うことができ
る。したがって、従来に比して、手間や労力の面で有利に、プレゼンテーションを行うこ
とができるという効果が得られる。
【０１７６】
さらに、本発明に係る請求項９記載の投影装置によれば、投影装置が直接投影すること
ができる投影データのみならず、投影装置が直接投影することができなくても所定形式の
データに変換すれば投影することができる投影データをも利用することができる。したが
って、発表者は、投影装置で投影できるか否かをさほど考慮することなく、プレゼンテー
ション資料を作成することができるので、使い勝手をさらに向上することができるという
効果も得られる。
【０１７７】
一方、本発明に係る請求項１０または１１記載の表示装置によれば、プレゼンテーショ
ンを行う場合に、各発表者は、プレゼンテーション資料をあらかじめデータ蓄積端末に格
納しておけば、データ蓄積端末から取得するだけの簡単な操作で、プレゼンテーションを
行うことができるとともに、発表者は、投影装置から離れた場所においてプレゼンテーシ
ョンを行うことができる。したがって、従来に比して、手間や労力の面で有利に、プレゼ
ンテーションを行うことができ、さらには使い勝手を向上することができるという効果が
得られる。
【０１７８】
一方、本発明に係る請求項１２または１３記載の表示システムによれば、プレゼンテー
ションを行う場合に、各発表者は、プレゼンテーション資料をあらかじめデータ蓄積端末
に格納しておけば、データ蓄積端末から取得するだけの簡単な操作で、プレゼンテーショ
ンを行うことができるとともに、発表者は、投影装置から離れた場所においてプレゼンテ
ーションを行うことができる。したがって、従来に比して、手間や労力の面で有利に、プ
レゼンテーションを行うことができ、さらには使い勝手を向上することができるという効
果が得られる。
【０１７９】
一方、本発明に係る請求項１４記載の投影プログラムを記憶した記憶媒体によれば、上
記請求項１記載の投影装置と同等の効果が得られる。
【０１８０】
一方、本発明に係る請求項１５記載の表示プログラムを記憶した記憶媒体によれば、請
求項１０記載の表示装置と同等の効果が得られる。
【図面の簡単な説明】
【０１８１】
【図１】本発明を適用するネットワークシステムの構成を示すブロック図である。
【図２】プロジェクタ１００の構成を示すブロック図である。
【図３】投影データ取得処理を示すフローチャートである。
【図４】投影処理を示すフローチャートである。
【図５】リモコン端末２００の構成を示すブロック図である。
【図６】要求送信処理を示すフローチャートである。
【図７】リモコン端末２００で表示される取得情報入力画面および投影要求入力画面を示す図である。
【符号の説明】
【０１８２】
１００…プロジェクタ、２００…リモコン端末、３００…基地局、３１０…中継局、Ｄ
Ｓ1〜ＤＳm…ＷＷＷサーバ、４００…インターネット、３０，５０…ＣＰＵ、３２，５２
…ＲＯＭ、３４，５４…ＲＡＭ、４０…入力装置、４２…記憶装置、４４…投影器、６０
…キーパネル、６４…ＬＣＤ。
【図１】
2007241299.tif 000003
【図２】
2007241299.tif 000004
【図３】
2007241299.tif 000005
【図４】
2007241299.tif 000006
【図５】
2007241299.tif 000007
【図６】
2007241299.tif 000008
【図７】
2007241299.tif 000009
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
画像データを用いて画像を表示する表示装置と、前記表示装置をコントロールするコントロール端末とを通信可能に接続した表示システムであって、
前記表示装置は、
表示対象となる前記画像データ、及び前記表示装置の制御に関する要求である表示要求を入力するのに用いる、前記コントロール端末における表示要求入力画面を構成する表示用画面構成データ、を記憶する記憶手段と、
前記コントロール端末から前記表示用画面構成データの送信要求を受信する送信要求受信手段と、
前記送信要求に応じて前記表示用画面構成データを前記コントロール端末に送信する表示用画面構成データ送信手段と、
前記コントロール端末から前記表示要求を受信する表示要求受信手段と、
前記表示要求受信手段で受信された前記表示要求に基づいて、前記記憶手段から前記画像データを読み出し、前記読み出した前記画像データを用いて画像を表示する表示手段と、を有し、
前記コントロール端末は、
前記送信要求を前記表示装置に送信する送信要求送信手段と、
前記表示装置から前記表示用画面構成データを受信する表示用画面構成データ受信手段と、
前記表示用画面構成データ受信手段で受信された前記表示用画面構成データに基づいて前記表示要求入力画面を表示する表示要求入力画面表示手段と、
前記表示要求入力画面表示手段で表示された前記表示要求入力画面を介して入力された前記表示要求を前記表示装置に送信する表示要求送信手段と、を有する
ことを特徴とする表示システム。
【請求項２】
画像データを用いて画像を表示する表示装置であって、
表示対象となる前記画像データ、及び前記表示装置の制御に関する要求である表示要求を入力するのに用いる、前記表示装置をコントロールするコントロール端末における表示要求入力画面を構成する表示用画面構成データ、を記憶する記憶手段と、
前記コントロール端末から前記表示用画面構成データの送信要求を受信する送信要求受信手段と、
前記送信要求に応じて前記表示用画面構成データを前記コントロール端末に送信する表示用画面構成データ送信手段と、
前記コントロール端末から前記表示要求を受信する表示要求受信手段と、
前記表示要求受信手段で受信された前記表示要求に基づいて、前記記憶手段から前記画像データを読み出し、前記読み出した前記画像データを用いて画像を表示する表示手段と、
を有することを特徴とする表示装置。
【請求項３】
画像データを用いて画像を表示する表示装置をコントロールするコントロール端末であって、
前記表示装置の制御に関する要求である表示要求を入力するのに用いる、前記コントロール端末における表示要求入力画面を構成する表示用画面構成データ、の送信要求を前記表示装置に送信する送信要求送信手段と、
前記表示装置から前記表示用画面構成データを受信する表示用画面構成データ受信手段と、
前記表示用画面構成データ受信手段で受信された前記表示用画面構成データに基づいて前記表示要求入力画面を表示する表示要求入力画面表示手段と、
前記表示要求入力画面表示手段で表示された前記表示要求入力画面を介して入力された前記表示要求を前記表示装置に送信する表示要求送信手段と、
を有することを特徴とするコントロール端末。
【請求項４】
画像データを用いて画像を表示する、コンピュータを有する表示装置を制御するプログラムを記録したコンピュータ読み取り可能な記録媒体であって、前記コンピュータを、
前記表示装置をコントロールするコントロール端末から、前記表示装置の制御に関する要求である表示要求を入力するのに用いる、前記コントロール端末における表示要求入力画面を構成する表示用画面構成データ、の送信要求を受信する送信要求受信手段と、
前記送信要求に応じて前記表示用画面構成データを前記コントロール端末に送信する表示用画面構成データ送信手段と、
前記コントロール端末から、前記表示装置の制御に関する要求である表示要求を受信する表示要求受信手段と、
前記表示要求受信手段で受信された前記表示要求に基づいて、表示対象となる前記画像データを用いて画像を表示する表示制御手段と、
して機能させるためのプログラムを記録したコンピュータ読み取り可能な記録媒体。
【請求項５】
画像データを用いて画像を表示する表示装置をコントロールする、コンピュータを有するコントロール端末を制御するプログラムを記録したコンピュータ読み取り可能な記録媒体であって、前記コンピュータを、
前記表示装置の制御に関する要求である表示要求を入力するのに用いる、前記コントロール端末における表示要求入力画面を構成する表示用画面構成データ、の送信要求を前記表示装置に送信する送信要求送信手段と、
前記表示装置から前記表示用画面構成データを受信する表示用画面構成データ受信手段と、
前記表示用画面構成データ受信手段で受信された前記表示用画面構成データに基づいて前記表示要求入力画面を表示する表示要求入力画面表示制御手段と、
前記表示要求入力画面表示制御手段で表示された前記表示要求入力画面を介して入力された前記表示要求を前記表示装置に送信する表示要求送信手段と、
して機能させるためのプログラムを記録したコンピュータ読み取り可能な記録媒体。
【請求項６】
画像データを用いて画像を表示する表示装置と、前記表示装置をコントロールするコントロール端末とを用いた表示方法であって、
前記表示装置は、表示対象となる前記画像データ、及び前記表示装置の制御に関する要求である表示要求を入力するのに用いる、前記コントロール端末における表示要求入力画面を構成する表示用画面構成データ、を記憶する記憶手段を有し、
前記コントロール端末が、前記表示用画面構成データの送信要求を前記表示装置に送信する送信要求送信工程と、
前記表示装置が、前記コントロール端末から前記送信要求を受信する送信要求受信工程と、
前記表示装置が、前記送信要求に応じて前記表示用画面構成データを前記コントロール端末に送信する表示用画面構成データ送信工程と、
前記コントロール端末が、前記表示装置から前記表示用画面構成データを受信する表示用画面構成データ受信工程と、
前記コントロール端末が、前記表示用画面構成データ受信工程で受信された前記表示用画面構成データに基づいて前記表示要求入力画面を表示する表示要求入力画面表示工程と、
前記コントロール端末が、前記表示要求入力画面表示工程で表示された前記表示要求入力画面を介して入力された前記表示要求を前記表示装置に送信する表示要求送信工程と、
前記表示装置が、前記コントロール端末から前記表示要求を受信する表示要求受信工程と、
前記表示装置が、前記表示要求受信工程で受信された前記表示要求に基づいて、前記記憶手段から前記画像データを読み出し、前記読み出した前記画像データを用いて画像を表示する表示工程と
を含むことを特徴とする表示方法。
【手続補正３】
【補正対象書類名】明細書
【補正対象項目名】０００６
【補正方法】変更
【補正の内容】
【０００６】
上記目的を達成するために、本発明に係る形態１の表示装置は、スクリーンに画像を表示する表示手段を備える表示装置において、表示対象となる表示データを蓄積するデータ蓄積端末と通信可能に接続したときにそのデータ蓄積端末から前記表示データを取得する取得手段と、前記取得手段で取得した表示データに基づいて前記表示手段による表示を行う表示制御手段とを備える。
【手続補正４】
【補正対象書類名】明細書
【補正対象項目名】０００８
【補正方法】変更
【補正の内容】
【０００８】
ここで、データ蓄積端末と通信可能に接続することには、例えば、特定のデータ蓄積端末と通信可能に接続すること、複数のデータ蓄積端末のうちいずれかを選択し、選択したデータ蓄積端末に接続すること、または複数のデータ蓄積端末が相互に接続されたネットワークと通信可能に接続することが含まれる。以下、形態１０の表示装置、形態１２の表示システム、形態１４の表示プログラムを記憶した記憶媒体、および形態１５の表示プログラムを記憶した記憶媒体において同じである。
【手続補正５】
【補正対象書類名】明細書
【補正対象項目名】０００９
【補正方法】変更
【補正の内容】
【０００９】
また、データ蓄積端末との接続は、データ蓄積端末に対して本装置が能動的に行うようにしてもよいし、これとは逆に本装置に対してデータ蓄積端末が能動的に行うようにしてもよいし、本装置とデータ蓄積端末とをあらかじめネットワーク等で接続することにより行うようにしてもよい。以下、形態１０の表示装置、形態１２の表示システム、形態１４の表示プログラムを記憶した記憶媒体、および形態１５の表示プログラムを記憶した記憶媒体において同じである。
【手続補正６】
【補正対象書類名】明細書
【補正対象項目名】００１０
【補正方法】変更
【補正の内容】
【００１０】
また、表示データは、表示対象となるデータであればどのようなデータであってもよく、これには、例えば、表示制御手段が直接表示することができるデータ、または表示制御手段が直接表示することができなくても所定形式のデータに変換すれば表示することができるデータが含まれる。以下、形態８の表示装置、および形態１４の表示プログラムを記憶した記憶媒体において同じである。
【手続補正７】
【補正対象書類名】明細書
【補正対象項目名】００１１
【補正方法】変更
【補正の内容】
【００１１】
さらに、本発明に係る形態２の表示装置は、形態１の表示装置において、前記データ蓄積端末を特定するためのアドレスを入力する入力手段を備え、前記取得手段は、前記入力手段で入力したアドレスにより特定されるデータ蓄積端末から前記表示データを取得するようになっている。
【手続補正８】
【補正対象書類名】明細書
【補正対象項目名】００１３
【補正方法】変更
【補正の内容】
【００１３】
さらに、本発明に係る形態３の表示装置は、形態１および２のいずれかに記載の表示装置において、前記取得手段は、外部端末と通信可能に接続したときに、その外部端末からの取得要求に応じて前記データ蓄積端末から前記表示データを取得するようになっている。
【手続補正９】
【補正対象書類名】明細書
【補正対象項目名】００１５
【補正方法】変更
【補正の内容】
【００１５】
ここで、外部端末は、取得要求を送信するようになっていればどのような構成であってもよく、これには、例えば、本装置をコントロールする通信機能を有するリモコン、携帯電話等の携帯可能な携帯端末、パソコンまたは電話が含まれる。以下、形態１０の表示装置、および形態１５の表示プログラムを記憶した記憶媒体において同じである。
【手続補正１０】
【補正対象書類名】明細書
【補正対象項目名】００１６
【補正方法】変更
【補正の内容】
【００１６】
また、外部端末との接続は、本装置に対して外部端末が能動的に行うようにしてもよいし、これとは逆に外部端末に対して本装置が能動的に行うようにしてもよいし、本装置と外部端末とをあらかじめネットワーク等で接続することにより行うようにしてもよい。以下、形態１０の表示装置、および形態１５の表示プログラムを記憶した記憶媒体において同じである。
【手続補正１１】
【補正対象書類名】明細書
【補正対象項目名】００１７
【補正方法】変更
【補正の内容】
【００１７】
さらに、本発明に係る形態４の表示装置は、形態３の表示装置において、前記外部端末からの取得要求には、前記データ蓄積端末を特定するためのアドレスが含まれており、前記取得手段は、前記外部端末からの取得要求に含まれるアドレスにより特定されるデータ蓄積端末から前記表示データを取得するようになっている。
【手続補正１２】
【補正対象書類名】明細書
【補正対象項目名】００１９
【補正方法】変更
【補正の内容】
【００１９】
さらに、本発明に係る形態５の表示装置は、形態３および４のいずれかに記載の表示装置において、前記取得手段は、前記外部端末からの取得要求を受けてその外部端末から認証情報を取得する認証情報取得手段と、前記認証情報取得手段で取得した認証情報を前記データ蓄積端末に送信する認証情報送信手段と、前記データ蓄積端末で認証されたことを確認したときは前記データ蓄積端末から前記表示データを取得する表示データ取得手段とを有する。
【手続補正１３】
【補正対象書類名】明細書
【補正対象項目名】００２１
【補正方法】変更
【補正の内容】
【００２１】
さらに、本発明に係る形態６の表示装置は、形態１ないし５のいずれかに記載の表示装置において、前記表示制御手段は、外部端末と通信可能に接続したときに、その外部端末からの表示要求に応じて前記表示手段による表示を行うようになっている。
【手続補正１４】
【補正対象書類名】明細書
【補正対象項目名】００２４
【補正方法】変更
【補正の内容】
【００２４】
さらに、本発明に係る形態７の表示装置は、形態１ないし６のいずれかに記載の表示装置において、前記取得手段で取得した表示データが前記表示制御手段で表示可能な所定形式のデータでないときはその取得した表示データを前記所定形式のデータに変換するデータ変換手段を備える。
【手続補正１５】
【補正対象書類名】明細書
【補正対象項目名】００２６
【補正方法】変更
【補正の内容】
【００２６】
さらに、本発明に係る形態８の表示装置は、スクリーンに画像を表示する表示手段を備える表示装置において、表示対象となる表示データを記憶した記憶媒体が与えられたときにその記憶媒体から前記表示データを読み出す読出手段と、前記読出手段で読み出した表示データに基づいて前記表示手段による表示を行う表示制御手段とを備える。
【手続補正１６】
【補正対象書類名】明細書
【補正対象項目名】００２８
【補正方法】変更
【補正の内容】
【００２８】
さらに、本発明に係る形態９の表示装置は、形態８の表示装置において、前記読出手段で読み出した表示データが前記表示制御手段で表示可能な所定形式のデータでないときはその読み出した表示データを前記所定形式のデータに変換するデータ変換手段を備える。
【手続補正１７】
【補正対象書類名】明細書
【補正対象項目名】００３０
【補正方法】変更
【補正の内容】
【００３０】
一方、上記目的を達成するために、本発明に係る形態１０の表示装置は、画像を表示する表示手段を備える表示装置において、表示対象となる表示データを蓄積するデータ蓄積端末と通信可能に接続したときにそのデータ蓄積端末から前記表示データを取得する取得手段と、前記取得手段で取得した表示データに基づいて前記表示手段による表示を行う表示制御手段とを備え、前記取得手段は、外部端末と通信可能に接続したときに、その外部端末からの取得要求に応じて前記データ蓄積端末から前記表示データを取得するようになっている。
【手続補正１８】
【補正対象書類名】明細書
【補正対象項目名】００３２
【補正方法】変更
【補正の内容】
【００３２】
ここで、表示手段は、画像を表示するものであればどのような構成であってもよく、これには、スクリーンに画像を表示する表示器等の表示手段、または表示画面に画像を表示するディスプレイ等の画面表示手段が含まれる。以下、形態１２の表示システム、および形態１５の表示プログラムを記憶した記憶媒体において同じである。
【手続補正１９】
【補正対象書類名】明細書
【補正対象項目名】００３３
【補正方法】変更
【補正の内容】
【００３３】
また、表示データは、表示対象となるデータであればどのようなデータであってもよく、これには、例えば、表示制御手段が直接表示することができるデータ、または表示制御手段が直接表示することができなくても所定形式のデータに変換すれば表示することができるデータが含まれる。以下、形態１２の表示システム、および形態１５の表示プログラムを記憶した記憶媒体において同じである。
【手続補正２０】
【補正対象書類名】明細書
【補正対象項目名】００４３
【補正方法】変更
【補正の内容】
【００４３】
さらに、本発明に係る形態１１の表示装置は、形態１０の表示装置において、前記表示制御手段は、外部端末と通信可能に接続したときに、その外部端末からの表示要求に応じて前記表示手段による表示を行うようになっている。
【手続補正２１】
【補正対象書類名】明細書
【補正対象項目名】００４５
【補正方法】変更
【補正の内容】
【００４５】
ここで、表示要求は、本装置の制御に関する要求であり、これには、例えば、表示を開始する要求、表示を終了する要求、表示する画像が複数ある場合は、それら画像を連続表示する要求、一つ若しくは複数先の画像を表示する要求、または一つ若しくは複数前の画像を表示する要求が含まれる。以下、形態１３の表示システムにおいて同じである。
【手続補正２２】
【補正対象書類名】明細書
【補正対象項目名】００５９
【補正方法】変更
【補正の内容】
【００５９】
さらに、本発明に係る形態１３の表示システムは、形態１２の表示システムにおいて、前記コントロール端末は、前記表示装置の制御に関する表示要求を送信するようになっており、前記表示制御手段は、前記コントロール端末からの表示要求に応じて前記表示手段による表示を行うようになっている。
【手続補正２３】
【補正対象書類名】明細書
【補正対象項目名】００６１
【補正方法】変更
【補正の内容】
【００６１】
一方、上記目的を達成するために、本発明に係る形態１４の表示プログラムを記憶した記憶媒体は、スクリーンに画像を表示する表示手段を利用する表示プログラムを記憶した記憶媒体であって、表示対象となる表示データを蓄積するデータ蓄積端末と通信可能に接続したときにそのデータ蓄積端末から前記表示データを取得する取得手段と、前記取得手段で取得した表示データに基づいて前記表示手段による表示を行う表示制御手段として、コンピュータを機能させるためのプログラムを記憶した表示プログラムを記憶した記憶媒体である。
【手続補正２４】
【補正対象書類名】明細書
【補正対象項目名】００６２
【補正方法】変更
【補正の内容】
【００６２】
このような構成であれば、記憶媒体に記憶されたプログラムがコンピュータによって読み取られ、読み取られたプログラムに従ってコンピュータが機能したときは、形態１の表示装置と同様の作用が得られる。
【手続補正２５】
【補正対象書類名】明細書
【補正対象項目名】００６３
【補正方法】変更
【補正の内容】
【００６３】
ここで、取得手段の具体的な構成としては、例えば、形態２ないし５のいずれかに記載の取得手段と同様の構成が挙げられる。
【手続補正２６】
【補正対象書類名】明細書
【補正対象項目名】００６４
【補正方法】変更
【補正の内容】
【００６４】
また、表示制御手段の具体的な構成としては、例えば、形態６記載の表示制御手段と同様の構成が挙げられる。
【手続補正２７】
【補正対象書類名】明細書
【補正対象項目名】００６５
【補正方法】変更
【補正の内容】
【００６５】
また、本記憶媒体の具体的な構成としては、例えば、形態７記載のデータ変換手段としてコンピュータを機能させるプログラムを記憶したものが挙げられる。
【手続補正２８】
【補正対象書類名】明細書
【補正対象項目名】００６６
【補正方法】変更
【補正の内容】
【００６６】
一方、上記目的を達成するために、本発明に係る形態１５の表示プログラムを記憶した記憶媒体は、画像を表示する表示手段を利用する表示プログラムを記憶した記憶媒体であって、表示対象となる表示データを蓄積するデータ蓄積端末と通信可能に接続したときにそのデータ蓄積端末から前記表示データを取得する取得手段と、前記取得手段で取得した表示データに基づいて前記表示手段による表示を行う表示制御手段として、コンピュータを機能させるためのプログラムを記憶し、前記取得手段は、外部端末と通信可能に接続したときに、その外部端末からの取得要求に応じて前記データ蓄積端末から前記表示データを取得するようになっている表示プログラムを記憶した記憶媒体である。
【手続補正２９】
【補正対象書類名】明細書
【補正対象項目名】００６７
【補正方法】変更
【補正の内容】
【００６７】
このような構成であれば、記憶媒体に記憶されたプログラムがコンピュータによって読み取られ、読み取られたプログラムに従ってコンピュータが機能したときは、形態１０記載の表示装置と同様の作用が得られる。
【手続補正３０】
【補正対象書類名】明細書
【補正対象項目名】００６８
【補正方法】変更
【補正の内容】
【００６８】
ここで、取得手段の具体的な構成としては、例えば、課題を解決するための手段の記載のうち上記形態１０に対応する項目で例示した取得手段と同様の構成が挙げられる。
【手続補正３１】
【補正対象書類名】明細書
【補正対象項目名】００６９
【補正方法】変更
【補正の内容】
【００６９】
また、表示制御手段の具体的な構成としては、例えば、形態１１記載の表示制御手段と同様の構成が挙げられる。
【手続補正３２】
【補正対象書類名】明細書
【補正対象項目名】００７０
【補正方法】変更
【補正の内容】
【００７０】
また、本記憶媒体の具体的な構成としては、例えば、課題を解決するための手段の記載のうち上記形態１０に対応する項目で例示したデータ変換手段としてコンピュータを機能させるプログラムを記憶したものが挙げられる。
【手続補正３３】
【補正対象書類名】明細書
【補正対象項目名】０１５６
【補正方法】変更
【補正の内容】
【０１５６】
上記実施の形態において、ＵＲＬは、形態２または４記載のアドレスに対応し、表示データは、形態１０、１２または１５記載の表示データに対応している。
【手続補正３４】
【補正対象書類名】明細書
【補正対象項目名】０１５７
【補正方法】変更
【補正の内容】
【０１５７】
また、上記実施の形態において、プロジェクタ１００は、形態１２または１３記載の表示装置に対応し、表示器４４は、形態１、６または１４記載の表示手段、および形態１０ないし１３または１５記載の表示手段に対応し、入力装置４０は、形態２記載の入力手段に対応し、ステップＳ１０８は、形態１ないし５、７、１０、１２、１４または１５記載の取得手段に対応している。また、ステップＳ１５８は、形態１、６、７または１４記載の表示制御手段、および形態１０、１１、１２、１３または１５記載の表示制御手段に対応し、ステップＳ１２０は、形態５記載の認証情報取得手段に対応し、ステップＳ１０４
は、形態５記載の認証情報送信手段に対応し、ステップＳ１０８は、形態５記載の表示データ取得手段に対応し、ステップＳ１１０，Ｓ１１４は、形態７記載のデータ変換手段に対応している。
【手続補正３５】
【補正対象書類名】明細書
【補正対象項目名】０１５８
【補正方法】変更
【補正の内容】
【０１５８】
また、上記実施の形態において、ＷＷＷサーバＤＳ1〜ＤＳmは、形態１ないし５、１０、１２、１４または１５記載のデータ蓄積端末に対応し、リモコン端末２００は、形態３ないし６、１０、１１または１５記載の外部端末、および形態１２または１３記載のコントロール端末に対応している。
【手続補正３６】
【補正対象書類名】明細書
【補正対象項目名】０１６９
【補正方法】変更
【補正の内容】
【０１６９】
以上説明したように、本発明に係る形態１ないし７記載の表示装置によれば、プレゼンテーションを行う場合に、各発表者は、プレゼンテーション資料をあらかじめデータ蓄積端末に格納しておけば、データ蓄積端末から取得するだけの簡単な操作で、プレゼンテーションを行うことができる。したがって、従来に比して、手間や労力の面で有利に、プレゼンテーションを行うことができるという効果が得られる。
【手続補正３７】
【補正対象書類名】明細書
【補正対象項目名】０１７０
【補正方法】変更
【補正の内容】
【０１７０】
さらに、本発明に係る形態２記載の表示装置によれば、通信可能に接続されるすべてのデータ蓄積端末にある表示データを取得することができる。したがって、各発表者は、プレゼンテーション資料をあらかじめ任意のデータ蓄積端末に格納しておけばよいので、従来に比して、使い勝手を向上することができるという効果も得られる。
【手続補正３８】
【補正対象書類名】明細書
【補正対象項目名】０１７１
【補正方法】変更
【補正の内容】
【０１７１】
さらに、本発明に係る形態３または６記載の表示装置によれば、発表者は、表示装置から離れた場所においてプレゼンテーションを行うことができる。したがって、使い勝手をさらに向上することができるという効果も得られる。
【手続補正３９】
【補正対象書類名】明細書
【補正対象項目名】０１７２
【補正方法】変更
【補正の内容】
【０１７２】
さらに、本発明に係る形態４記載の表示装置によれば、通信可能に接続されるすべてのデータ蓄積端末にある表示データを取得することができる。したがって、各発表者は、プレゼンテーション資料をあらかじめ任意のデータ蓄積端末に格納しておけばよいので、使い勝手をさらに向上することができるという効果も得られる。
【手続補正４０】
【補正対象書類名】明細書
【補正対象項目名】０１７３
【補正方法】変更
【補正の内容】
【０１７３】
さらに、本発明に係る形態５記載の表示装置によれば、認証情報による認証を経て表示データを送信するデータ蓄積端末を利用することができるので、発表者は、こうしたデータ蓄積端末にプレゼンテーション資料を格納することも可能となり、プレゼンテーション資料に対する秘密性をある程度確保することができるという効果も得られる。
【手続補正４１】
【補正対象書類名】明細書
【補正対象項目名】０１７４
【補正方法】変更
【補正の内容】
【０１７４】
さらに、本発明に係る形態７記載の表示装置によれば、表示装置が直接表示することができる表示データのみならず、表示装置が直接表示することができなくても所定形式のデータに変換すれば表示することができる表示データをも利用することができる。したがって、発表者は、表示装置で表示できるか否かをさほど考慮することなく、プレゼンテーション資料を作成することができるので、使い勝手をさらに向上することができるという効果も得られる。
【手続補正４２】
【補正対象書類名】明細書
【補正対象項目名】０１７５
【補正方法】変更
【補正の内容】
【０１７５】
さらに、本発明に係る形態８または９記載の表示装置によれば、プレゼンテーションを行う場合に、各発表者は、プレゼンテーション資料をあらかじめ記憶媒体に記憶しておけば、記憶媒体から読み出すだけの簡単な操作で、プレゼンテーションを行うことができる。したがって、従来に比して、手間や労力の面で有利に、プレゼンテーションを行うことができるという効果が得られる。
【手続補正４３】
【補正対象書類名】明細書
【補正対象項目名】０１７６
【補正方法】変更
【補正の内容】
【０１７６】
さらに、本発明に係る形態９記載の表示装置によれば、表示装置が直接表示することができる表示データのみならず、表示装置が直接表示することができなくても所定形式のデータに変換すれば表示することができる表示データをも利用することができる。したがって、発表者は、表示装置で表示できるか否かをさほど考慮することなく、プレゼンテーション資料を作成することができるので、使い勝手をさらに向上することができるという効果も得られる。
【手続補正４４】
【補正対象書類名】明細書
【補正対象項目名】０１７７
【補正方法】変更
【補正の内容】
【０１７７】
一方、本発明に係る形態１０または１１記載の表示装置によれば、プレゼンテーションを行う場合に、各発表者は、プレゼンテーション資料をあらかじめデータ蓄積端末に格納しておけば、データ蓄積端末から取得するだけの簡単な操作で、プレゼンテーションを行うことができるとともに、発表者は、表示装置から離れた場所においてプレゼンテーションを行うことができる。したがって、従来に比して、手間や労力の面で有利に、プレゼンテーションを行うことができ、さらには使い勝手を向上することができるという効果が得られる。
【手続補正４５】
【補正対象書類名】明細書
【補正対象項目名】０１７８
【補正方法】変更
【補正の内容】
【０１７８】
一方、本発明に係る形態１２または１３記載の表示システムによれば、プレゼンテーションを行う場合に、各発表者は、プレゼンテーション資料をあらかじめデータ蓄積端末に格納しておけば、データ蓄積端末から取得するだけの簡単な操作で、プレゼンテーションを行うことができるとともに、発表者は、表示装置から離れた場所においてプレゼンテーションを行うことができる。したがって、従来に比して、手間や労力の面で有利に、プレゼンテーションを行うことができ、さらには使い勝手を向上することができるという効果が得られる。
【手続補正４６】
【補正対象書類名】明細書
【補正対象項目名】０１７９
【補正方法】変更
【補正の内容】
【０１７９】
一方、本発明に係る形態１４記載の表示プログラムを記憶した記憶媒体によれば、上記形態１記載の表示装置と同等の効果が得られる。
【手続補正４７】
【補正対象書類名】明細書
【補正対象項目名】０１８０
【補正方法】変更
【補正の内容】
【０１８０】
一方、本発明に係る形態１５記載の表示プログラムを記憶した記憶媒体によれば、形態１０記載の表示装置と同等の効果が得られる。